(57)【要約】      （修正有）【課題】手袋をはずした時、簡単に収納でき鞄などに付ける愛らしいアクセサリーとなる手袋ホルダーを提供する。【解決手段】ぬいぐるみが手袋１６を抱きかかえる形をした愛らしい手袋ホルダーであって、伸縮性のある前足１１の輪の中に手袋１６を通し、後足１２で挟んで足裏に取り付けた面ファスナーで止めるだけでしっかり保持でき、簡単に装着できる。【選択図】図４
0003160895.tif 000002
【実用新案登録請求の範囲】
【請求項１】
動物のぬいぐるみが手袋を腕の中に抱きかかえる形をした愛らしいホルダーであって、チェーンによって鞄などに吊り下げられる。ぬいぐるみの伸縮性のある前足は左右つなぎ合わせてあり、その輪の中に手袋を上から入れ、さらに後足で挟んで足裏に取り付けた面ファスナーで止め保持することを特徴とする手袋ホルダー。
【請求項２】
前記前足はゴムを入れることによって伸縮性をだし、さまざまな厚みの手袋に対応できることを特徴とする請求項１に記載の手袋ホルダー。
【請求項３】
前記後足は足裏に取り付けた面ファスナーにより、手袋を手軽に簡単に挟むことができることを特徴とする請求項１に記載の手袋ホルダー。
【請求項４】
前記手袋ホルダーにはチェーンが付いており、容易に鞄などに付けることができることを特徴とする請求項１に記載の手袋ホルダー。
【考案の詳細な説明】
【考案の詳細な説明】
【技術分野】
【０００１】  本考案は手袋ホルダーに関する。
【背景技術】
【０００２】  従来の手袋ホルダーはクリップ形式が多く、さまざまな手袋に対応することが難しく、外れたり抜け落ちたりする欠点があった。
【考案が解決しようとする課題】
【０００３】  本考案はかかる問題点に鑑み、手袋をしっかりホールドし、鞄アクセサリーとしても愛らしく見栄えの良い手袋ホルダーを提供することを目的とする。
【課題を解決するための手段】
【０００４】  上記目的を達成するための本考案は、ぬいぐるみが手袋を抱きかかえる形をしたホルダーであって、伸縮性のある輪になった前足の中に手袋を通し、さらに後足で挟んで足裏に付いた面ファスナーで止め保持することを特徴とする。
また、薄手や表面が滑らかな手袋の場合は、前足の輪の中に半分位入れたところで前足をくるむように二つ折りにし、さらに二つ折りした手袋を後足で挟んで足裏の面ファスナーで止め保持する。
【考案の作用・効果】
【０００５】  本考案に係わる手袋ホルダーは、ぬいぐるみの前足の輪の中に手袋を通し、さらに後足で挟み止めすることによってしっかり保持でき、薄手や表面が滑らかな手袋は言うまでもなく、スカーフやタオルといったものまで装着でき応用範囲も広い。
本考案に係わる手袋ホルダーは、ぬいぐるみが手袋を抱きかかえる姿がとても愛らしく、鞄などのアクセサリーとして見栄えのする形になっている。
【考案の実地の形態】
【０００６】  以下に本考案を図面に基づき説明するに、図１には本考案の形態に係わる手袋ホルダー１０が示されている。ぬいぐるみの手袋ホルダー１０の形態は、ボディー部は横向き、頭部は正面向きから成る。チェーン１３で鞄などに吊り下げることができる。
【０００７】  手袋ホルダー１０の側面図を図１、図２に示す。前足１１は左右つなぎ合わせて輪にし、かつ伸縮性がある。後足には手袋を挟むため足裏に面ファスナー１４，１５が取り付けてある。面ファスナー１４は花の形になっており、１５は裏側に面ファスナーが取り付けてある。
図３は面ファスナー１４，１５を止めた状態の図である。
【０００８】  手袋ホルダー１０の手袋装着図を図４、図５に示す。図４は一般冬物手袋１６の装着図で前足１１に手袋１６を通し、後足１２で挟み足裏の面ファスナー１４，１５でとめる。
【０００９】  図５は薄手や表面の滑らかな手袋１７の装着図で、輪になった前足１１に半分位通したところで前足１１をくるむように２つに折り、後足１２で挟んで足裏の面ファスナー１４，１５で止める。
【図面の簡単な説明】
【図１】  本考案の形態に係わる手袋ホルダー本体を示す図である。
【図２】  手袋ホルダーの側面図で、足裏の面ファスナーを止めてない状態の図である。
【図３】  手袋ホルダーの側面図で、足裏の面ファスナーを止めた状態の図である。
【図４】  手袋ホルダーに手袋を装着した図である。
【図５】  手袋ホルダーに薄手や表面の滑らかな手袋を装着した図である。
【図１】
0003160895.tif 000003
【図２】
0003160895.tif 000004
【図３】
0003160895.tif 000005
【図４】
0003160895.tif 000006
【図５】
0003160895.tif 000007
【手続補正書】
【提出日】平成22年4月16日(2010.4.16)
【手続補正２】
【補正対象書類名】実用新案登録請求の範囲
【補正対象項目名】全文
【補正方法】変更
【補正の内容】
【実用新案登録請求の範囲】
【請求項１】
動物のぬいぐるみが手袋を腕の中に抱きかかえることができる愛らしいホルダーであって、ぬいぐるみの伸縮性のある前足は左右つなぎ合わせてあり、その輪の中に手袋を上から入れ、さらに後足で挟んで足裏に取り付けた面ファスナーで止め保持することを特徴とする手袋ホルダー。
【請求項２】
前記前足はゴムを入れることによって伸縮性をだし、さまざまな厚みの手袋に対応できることを特徴とする請求項１に記載の手袋ホルダー。
【請求項３】
前記後足は足裏に取り付けた面ファスナーにより、手袋を手軽に簡単に挟むことができることを特徴とする請求項１に記載の手袋ホルダー。
【請求項４】
前記手袋ホルダーにはチェーンが付いており、容易に鞄に付けることができることを特徴とする請求項１に記載の手袋ホルダー。
【手続補正３】
【補正対象書類名】明細書
【補正対象項目名】全文
【補正方法】変更
【補正の内容】
【考案の詳細な説明】
【考案の詳細な説明】
【技術分野】
【０００１】  本考案は手袋ホルダーに関する。
【背景技術】
【０００２】  従来の手袋ホルダーはクリップ形式が多く、さまざまな手袋に対応することが難しく、外れたり抜け落ちたりする欠点があった。
【考案が解決しようとする課題】
【０００３】  本考案はかかる問題点に鑑み、手袋をしっかりホールドし、鞄アクセサリーとしても愛らしく見栄えの良い手袋ホルダーを提供することを目的とする。
【課題を解決するための手段】
【０００４】  上記目的を達成するための本考案は、ぬいぐるみが手袋を抱きかかえることができるホルダーであって、伸縮性のある輪になった前足の中に手袋を通し、さらに後足で挟んで足裏に付いた面ファスナーで止め保持することを特徴とする。
また、薄手や表面が滑らかな手袋の場合は、前足の輪の中に半分位入れたところで前足をくるむように二つ折りにし、さらに二つ折りした手袋を後足で挟んで足裏の面ファスナーで止め保持する。
【考案の作用・効果】
【０００５】  本考案に係わる手袋ホルダーは、ぬいぐるみの前足の輪の中に手袋を通し、さらに後足で挟み止めすることによってしっかり保持でき、薄手や表面が滑らかな手袋は言うまでもなく、スカーフやタオルといったものまで装着でき応用範囲も広い。
本考案に係わる手袋ホルダーは、ぬいぐるみが手袋を抱きかかえる姿がとても愛らしく、鞄のアクセサリーとして見栄えのする形になっている。
【考案の実地の形態】
【０００６】  以下に本考案を図面に基づき説明するに、図１には本考案の形態に係わる手袋ホルダー１０が示されている。ぬいぐるみの手袋ホルダー１０の形態は、ボディー部は横向き、頭部は正面向きから成る。チェーン１３で鞄に吊り下げることができる。
【０００７】  手袋ホルダー１０の側面図を図１、図２に示す。前足１１は左右つなぎ合わせて輪にし、かつ伸縮性がある。後足には手袋を挟むため足裏に面ファスナー１４，１５が取り付けてある。面ファスナー１４は花の形になっており、１５は裏側に面ファスナーが取り付けてある。
図３は面ファスナー１４，１５を止めた状態の図である。
【０００８】  手袋ホルダー１０の手袋装着図を図４、図５に示す。図４は一般冬物手袋１６の装着図で前足１１に手袋１６を通し、後足１２で挟み足裏の面ファスナー１４，１５でとめる。
【０００９】  図５は薄手や表面の滑らかな手袋１７の装着図で、輪になった前足１１に半分位通したところで前足１１をくるむように２つに折り、後足１２で挟んで足裏の面ファスナー１４，１５で止める。
【図面の簡単な説明】
【図１】  本考案の形態に係わる手袋ホルダー本体を示す図である。
【図２】  手袋ホルダーの側面図で、足裏の面ファスナーを止めてない状態の図である。
【図３】  手袋ホルダーの側面図で、足裏の面ファスナーを止めた状態の図である。
【図４】  手袋ホルダーに手袋を装着した図である。
【図５】  手袋ホルダーに薄手や表面の滑らかな手袋を装着した図である。